(57)【要約】【課題】掛軸や絵画等の美術品の保存を簡易かつ良好に行うことを可能とする。【解決手段】ロックレバー７および開閉ハンドル１４の回動操作により蓋板本体３を開閉し、掛軸や絵画等の美術品を固定した移動装架台５を中空気密状の収納ケース１に出し入れするように移動させることによって、美術品の収容または取出を容易に行うとともに、収納ケース１の内部における湿気を調湿剤により一定に保ち、さらにその収納ケース１内における調湿状態を湿度検出手段により常時監視するように構成したもの。【選択図】      図４
2006315723.tif 000002
【特許請求の範囲】
【請求項１】
内部に美術品を挿入可能とした中空状筐体からなる収納ケースと、
前記美術品を保持可能に構成され、前記収納ケースの挿出開口部から外方に向かって引き出し可能となるように前記収納ケースの内壁に沿って往復移動する移動装架台と、
前記収納ケースの挿出開口部を気密的に閉塞可能かつ開放可能に設けられた密閉蓋手段と、
前記収納ケースの内部雰囲気を一定湿度に維持する調湿手段と、
前記収納ケース内における少なくとも湿度を検知して表示する湿度検出手段と、
を備えたことを特徴とする美術品保存装置。
【請求項２】
前記密閉蓋手段は、
前記収納ケースの挿出開口部の周縁部に対して密着可能に構成された蓋板本体と、
その蓋板本体を前記収納ケースの挿出開口部に密着した状態に保持するロック手段と、
を備えていることを特徴とする請求項１記載の美術品保存装置。
【請求項３】
前記ロック手段は、
前記蓋板本体を摺動自在かつ回転可能に貫通するロック軸と、
前記ロック軸を回転操作させるように当該ロック軸に取り付けられたロックレバーと、
前記ロック軸が前記蓋板本体からケース内方に突出する部位に取り付けられ前記ロックレバーの回転操作に従って回動する係合部材と、
前記収納ケースの内壁に取り付けられ前記係合部材の回動に対応して当該係合部材と軸方向に当接可能に配置された係止部材と、
前記ロック軸が前記蓋板本体を貫通する部分の軸隙間を気密状に閉塞するシール部材と、
そのシール部材を前記軸隙間に対して閉塞する方向に押圧するとともに前記蓋板本体を前記収納ケースの挿出開口部の周縁部に対して開放する方向に押圧する付勢手段と、
前記ロック軸を軸方向に往復移動させる軸移動手段と、
を備えたことを特徴とする請求項２記載の美術品保存装置。
【請求項４】
前記収納ケースは、当該収納ケース内の圧力を調整するエアバッグを介して外気と連通されていることを特徴とする請求項１記載の美術品保存装置。
【発明の詳細な説明】
【技術分野】
【０００１】
本発明は、掛軸や絵画等の美術品を容易かつ良好に保存可能とした美術品保存装置に関する。
【背景技術】
【０００２】
一般に、掛軸や絵画等の美術品には、湿度等の保存環境を適切なものとしておかなければ、ひび割れ、黄変、剥離などの損傷や、カビなどを発生しやすいものが多い。
【０００３】
しかしながら、美術品の保存環境を適切に維持するためには、美術品を保管する部屋全体の保存環境を整えたり、大がかりな保存装置を準備しておく必要がある。そのため現状では、美術品の保存を簡易かつ良好に行うことは困難であり、美術品の保存が事実上不可能になっている場合も多い。
【発明の開示】
【発明が解決しようとする課題】
【０００４】
本発明は、前述のような従来の諸事情に鑑み創出されたもので、掛軸や絵画等の美術品の保存を簡易かつ良好に行うことができるようにした美術品保存装置を提供することを目的とする。
【課題を解決するための手段】
【０００５】
上記目的を達成するために本発明にかかる美術品保存装置では、内部に美術品を挿入可能とした中空状筐体からなる収納ケースと、前記美術品を保持可能に構成され、前記収納ケースの挿出開口部から外方に向かって引き出し可能となるように前記収納ケースの内壁に沿って往復移動する移動装架台と、前記収納ケースの挿出開口部を気密的に閉塞可能かつ開放可能に設けられた密閉蓋手段と、前記収納ケースの内部雰囲気を一定湿度に維持する調湿手段と、前期収納ケース内における少なくとも湿度を検知して表示する湿度検出手段とを備えている。
【０００６】
このような構成を有する本発明にかかる美術品保存装置によれば、中空気密状の収納ケースの内部に移動装架台を出し入れするように移動させることによって美術品の収容または取出が容易に行われる。
【０００７】
また、収納ケースの内部における湿気が調湿手段により一定に保たれるとともに、その収納ケース内における調湿状態が湿度検出手段により常時監視されるため、収納ケースの内部に収容された美術品の保存状態が良好に維持されるようになっている。
【発明の効果】
【０００８】
以上のように本発明は、中空気密状の収納ケースに対して移動装架台を介して美術品を出し入れすることにより美術品の収容または取出を容易に行うとともに、その収納ケース内を調湿手段によって一定の湿度状態に維持しつつ当該調湿状態を湿度検出手段により常時監視することによって美術品の保存状態を良好に維持することを可能としたものであるから、掛軸や絵画等の美術品の保存を簡易かつ良好に行うことができる。
【発明を実施するための最良の形態】
【０００９】
以下、本発明の実施形態を図面に基づいて詳細に説明する。
図１に示されている本発明の一実施形態にかかる美術品保存装置は、書画等の掛軸を保存しておくための掛軸保存装置であって、掛軸の桐箱（以下、掛軸箱という。）を収容可能な細長状の収納ケース１を有している。この収納ケース１は、横断面略矩形状をなして細長状に延在する中空気密状のアルミ筐体からなり、図２および図３に示されているように、長手方向の奥側の端部（図３参照）が奥端止板２により閉塞されているとともに、その反対側に設けられた挿出開口部（図２参照）には、密閉蓋手段を構成する蓋板本体３が開閉可能に取り付けられている。これらの奥端止板２および蓋板本体３の詳細な構成については後述する。
【００１０】
上記収納ケース１の内部には、当該収納ケース１の長手方向に沿って延在する案内レール４が配置されている。この案内レール４の内側空間部分には、図示を省略した調湿手段としての調湿剤が適宜の容器を介して交換可能に取り付けられている。上述した案内レール４には複数の案内コロ（図示省略）が回転可能に取り付けられており、それらの案内コロ上には、前述した掛軸箱を載置・固定する移動装架台５が前記案内レール４に沿って往復移動可能となるように装着されている。
【００１１】
このとき前記移動装架台５は、上述した密閉蓋手段としての蓋板本体３を収納ケース１から取り外して挿出開口部を開放したときに前記収納ケース１の内部側から外方に向かって引き出し可能となるように構成されている。その移動装架台５には、適宜の間隔をもって配置された複数のフック５ａに締結紐（図示省略）が掛け渡すように設けられており、それらの締結紐を互いに結び合わせることによって掛軸箱の固定が行われるようになっている。
【００１２】
このような移動装架台５の奥側（図３参照）端面は、上述した奥端止板２側から立ち上がるように取り付けられた一対の板バネ２ａの先端部分に当接可能となるように配置されており、当該移動装架台５が奥側に向かって押し込められたときに前記板バネ２ａに対して移動装架台５の奥側（図３参照）端面が弾性的に当接して弾性的に係止されるようになっている。
【００１３】
一方、上述した密閉蓋手段の蓋板本体３は、前記収納ケース１の挿出開口部に対して気密的に閉塞可能に取り付けられるように構成されているとともに、次に説明するロック手段の締付力によって当該蓋板本体３が気密的に閉塞された状態に維持されるようになっている。また、そのロック手段を解除したときには前記蓋板本体３が挿出開口部から任意に取り外し可能となるように構成されている。
【００１４】
上述したロック手段は、前記蓋板本体３の略中心部分を前記収納ケース１の長手方向に沿って貫通するロック軸６を有している。このロック軸６は、前記蓋板本体３側に固定された軸受部材６ａを介して摺動自在かつ回転可能に支持されており、当該ロック軸６が前記蓋板本体３から外方側に向かって突出した部分の途中部位には、そのロック軸６を軸回りに回動操作させるロックレバー７がボス部７ａを介して取り付けられている。このロックレバー７は、前記ロック軸６から半径方向外方に延出するように前記ボス部７ａに螺子止めされている。
【００１５】
さらに、前記ロック軸６が前記蓋板本体３から内方側に向かって突出した部位の先端部分には、係合板８が固定ナット９の締め付け力により挟持されている。この係合板８は、前記ロック軸６から半径方向外方に向かって放射状に延出する複数の係合爪８ａを有しており、それらの各係合爪８ａに対応して前述した収納ケース１の内壁面に複数の係止部材１ａが設けられている。
【００１６】
前記係合板８に設けられた各係合爪８ａは、前記ロックレバー７の回動操作により前記ロック軸６とともに回動される構成になされており、前記各係止部材１ａと互いに対面するロック位置（図２参照）と、各係止部材１ａから回転方向に離間した解除位置との間を回動して切り替えられる構成になされている。このとき、上述したロックレバー７が予め決められた位置、例えば鉛直延在位置に回動された際に前記各係合爪８ａが各係止部材１ａに対面してロック位置に移動されるようになっている。
【００１７】
一方、上述した軸受部材６ａの軸方向内側端面の中心部分には、断面テーパ状をなす拡開端部６ｂが前記係合板８に向かって内径が連続的に拡大するように形成されており、その拡開端部６ｂ内に、上述したロック軸６との間に形成される軸隙間を気密状に閉塞するシール部材としてのＯリング１１が配置されている。このＯリング１１は、前記ロック軸６の外周側に装着されたものであるが、前記軸受部材６ａの拡開端部６ｂの内部側に収容されるように配置されている。
【００１８】
さらに、前記Ｏリング１１の背面側（図２の左方側）には、前記ロック軸６の外周側に装着された弾性コイルバネ１２の一端部がカラー１３を介して圧接されている。この弾性コイルバネ１２の他端部は、上述した係合板８の中心部分に圧接されており、その係合板８と軸受部材６ａとの間部分に圧縮状態で装着されている。そして、この弾性コイルバネ１２の軸方向反発力によって前記Ｏリング１１が前記軸受部材６ａの拡開端部６ｂを形成しているテーパ状傾斜面に押し付けられ、その結果として、前記Ｏリング１１がロック軸６の外周面に押し付けられ、前記ロック軸６が軸受部材６ａを貫通している部分における軸隙間が気密状に閉塞されるようになっている。
【００１９】
また、上述したロック軸６が前記収納ケース１から外方に突出している部位の先端部分には、軸移動手段としての開閉ハンドル１４が取り付けられている。この開閉ハンドル１４は、前記ロック軸６の先端部分に螺合されており、当該開閉ハンドル１４を回すことによって上述したロック軸６が軸方向に移動されるように構成されている。そして、そのロック軸６の軸移動に伴って、上述した係合板８の軸方向移動および前記弾性コイルバネ１２の圧縮・伸長が行われるようになっている。
【００２０】
一方、上述した収納ケース１の内部には、図示を省略した温湿度センサーが適宜の位置に配置されている。この温湿度センサーは、前記収納ケース１内の温湿度を検知して表示する温湿度検出手段を構成しているものであるが、その温湿度センサーから延出しているリード線２１が、前記蓋板本体３の一部に貫通形成された通し孔内に嵌合されたシール用シリコンゴム２２を介して前記収納ケース１の内部側から外部側に向かって気密的に引き出されるように取り付けられている。
【００２１】
また、そのリード線２１が外方に引き出された先端部分には、図示を省略した表示モニターが接続されており、前記温湿度センサーからリード線２１を通して送出される検知信号が表示モニターに受けられて収納ケース１の内部の温湿度の表示が行われるようになっている。
【００２２】
さらに、前記蓋板本体３の隅部には押込ピン２３が前記収納ケース１の内部に向かって立設されており、その押込ピン２３の突出方向の先端部分には略尖塔状の弾性部材からなる突当部材２４が取り付けられている。その突当部材２４は、上述した移動装架台５の手前側（図２参照）の端面に当接可能な位置に配置されており、前記蓋板本体３が閉塞されたときに当該突当部材２４が移動装架台５側に当接して当該移動装架台５を奥側（図３参照）に向かって押し込むように構成されている。そして、奥側に押し込められた移動装架台５の奥側端面は、前述した板バネ２ａに対して弾性的に当接し、その板バネ２ａと前記突当部材２４との間に移動装架台５が弾性的に位置決めされるようになっている。
【００２３】
また、上述した収納ケース１の奥端止板２の略中心部分には、通気パイプ２ｂが当該奥端止板２軸方向に貫通するように設けられており、その通気パイプ２ｂが前記収納ケース１の内部側に開口している部位にエアバッグ２ｃが取り付けられている。このエアバッグ２ｃは、分子の大きさとの関係から空気は通過させるが水分は通過させないような材質、例えば例えばＯＰＰシートから形成されており、収納ケース１の内部空間の圧力に対応して体積が拡張・伸縮するように構成されていることによって、当該エアバッグ２ｃを通して前記収納ケース１の内部側圧力が大気圧との関係で相対的に調整されるようになっている。
【００２４】
このような実施形態にかかる掛軸保存装置を使用するにあたっては、例えば図４に示されているように蓋板本体３を取り外して開放させる。その蓋板本体３の取り外しを行うには、開閉ハンドル１４を弛緩方向に回転操作してロック手段を構成している係合板８および弾性コイルバネ１２を開放状態とし、ロックレバー７を回動操作して係合板８の係合爪８ａを係止部材１ａから回転方向に離間した解除位置に移動させる。これにより密閉蓋手段の蓋板本体３が収納ケース１の挿出開口部から取り外し可能となる。
【００２５】
このようにして蓋板本体３を収納ケース１から取り外すと、収納ケース１の挿出開口部が露出状態となり、その挿出開口部を通して移動装架台５を収納ケース１から外方に向かって引き出す。そして、その外方に引き出した移動装架台５上に、掛軸を適宜に巻回して収容した掛軸箱を載置し、その上に締結紐を引き回して結び合わせる。その締結紐によって掛軸箱Ｗを移動装架台５に固定したら、その移動装架台５を収納ケース１内の奥側に向かって押し込み、奥端止板２側の板バネ２ａに移動装架台５を当接させる。
【００２６】
つぎに、収納ケース１の挿出開口部に蓋板本体３を位置決めしながら装着し、ロックレバー７を回動操作して係合板８の係合爪８ａを係止部材１ａと対面するロック位置に移動させる。そして、開閉ハンドル１４を締め付け方向に回転操作してロック手段の係合板８をロック状態とするとともに弾性コイルバネ１２を圧縮状態とする。これにより収納ケース１の挿出開口部に対して蓋板本体３が気密状に閉塞されるとともに、弾性コイルバネ１２が圧縮状態となってＯリング１１がシール状態となる。
【００２７】
また、蓋板本体３側に設けられた突当部材２４が移動装架台５側に圧接して当該移動装架台５を奥側に押し込み、当該移動装架台５が奥側に配置された板バネ２ａとの間に弾性的に保持される。一方、掛軸箱を収納ケース１から取り出す場合には、これと逆の操作を行うこととなる。
【００２８】
このように本実施形態にかかる掛軸保存装置によれば、蓋板本体３を開閉して掛軸箱を固定した移動装架台５を中空気密状の収納ケース１に出し入れするように移動させることによって、掛軸箱の収容または取出が容易に行われる。また、収納ケース１の内部における湿気が調湿剤により一定に保たれるとともに、その収納ケース１内における調湿状態が温湿度センサーを含む湿度検出手段により常時監視されるため、収納ケース１の内部に収容された美術品の保存状態が良好に維持されるようになっている。
【００２９】
以上、本発明者によってなされた発明を実施形態に基づき具体的に説明したが、本発明は上記実施形態に限定されるものではなく、その要旨を逸脱しない範囲で種々変形可能であるというのはいうまでもない。
【００３０】
例えば上述した実施形態は、保存する美術品として掛軸を対象としたものであるが、掛軸以外の多種多様な美術品に対しても本発明は同様に適用することが可能であることは当然である。
【産業上の利用可能性】
【００３１】
以上述べた本発明は、掛軸を始めとして、多種多様な美術品に対して広く適用することが可能である。
【図面の簡単な説明】
【００３２】
【図１】本発明の一実施形態としての掛軸保存装置の使用状態を表した外観斜視説明図である。
【図２】図１に示された掛軸保存装置の手前側部分を拡大して表した部分縦断面説明図である。
【図３】図１に示された掛軸保存装置の奥側部分を拡大して表した部分縦断面説明図である。
【図４】図１に示された掛軸保存装置に対して掛軸箱を出し入れする状態を表した外観斜視説明図である。
【符号の説明】
【００３３】
１  収納ケース
１ａ  係止部材
２  奥端止板
２ａ  板バネ
２ｂ  通気パイプ
２ｃ  エアバッグ
３  蓋板本体（密閉蓋手段）
３ａ  通し孔
４  案内レール
５  移動装架台
５ａ  フック
６  ロック軸
６ａ  軸受部材
６ｂ  拡開端部
７  ロックレバー
７ａ  ボス部
８  係合板
８ａ  係合爪
９  固定ナット
１１  Ｏリング
１２  弾性コイルバネ
１３  カラー
１４  開閉ハンドル（軸移動手段）
２１  温湿度センサーリード線（温湿度検出手段）
２２  シール用シリコンゴム
２３  押込ピン
２４  突当部材
Ｗ  掛軸箱
【図１】
2006315723.tif 000003
【図２】
2006315723.tif 000004
【図３】
2006315723.tif 000005
【図４】
2006315723.tif 000006